(57)【要約】【課題】ピグにより押し出された粉塵が周囲に飛散することを防止すると共にピグを回収する時の衝撃音をできるだけ低減する。【構成】管路５に圧送されているピグ１５がピグ受け部８に衝突するとき大きな衝撃音が発生するが、消音部３の円筒カバー１１で円筒部６の外周に所定の大きさで形成した空洞１０と円筒カバー１１の上面に形成した絞り管１２で発生した衝撃音を低減して近傍住民に不安感を与えることを防ぐ。さらに、低減した衝撃音を集塵部４に設けた集塵袋１３と網目袋１４により吸音して衝撃音をより低減する。また、ピグ回収部２に達して押し出されている粉塵を集塵部４で回収して周囲に粉塵が飛び散ることを防ぐ。【選択図】    図１
2008104897.tif 000002
【特許請求の範囲】
【請求項１】
ピグ回収部と消音部及び集塵部を有し、
前記ピグ回収部は、管路を構成する管と略同じ径の円筒部と、該円筒部の一方の端部に設けられ、管路端部と接続する連結部と、前記円筒部の他方の端部に設けられ、圧送されたピグを受止めるピグ受け部を有し、前記円筒部の外周面には複数の空気抜き孔が設けられ、
前記消音部は、前記円筒部の外周全体に空洞を形成する円筒カバーと、該円筒カバーの上面に形成された絞り管を有し、
前記集塵部は、織布で形成された集塵袋と、機械的強度が大きい材料で形成され、前記集塵袋を収納した網目袋との２重構造で形成され、前記集塵袋と網目袋の開口部が前記絞り管の外周面に取り付けられていることを特徴とするピグ回収装置。
【発明の詳細な説明】
【技術分野】
【０００１】
この発明は、ガス管や水道管等の管路内面を清掃したピグを回収するピグ回収装置に関するものである。
【背景技術】
【０００２】
ガス管等の工事に際して管内にほこりや溶接スラグあるいは錆が付着する。また、既設管路では、経年劣化等により管路内面に錆等が付着する。このような管路内面の付着物を除去するため、特許文献１に示すように、ピグを管路内に挿入して空気供給源から供給される加圧空気でピグを圧送させて、ピグにより管路内面に付着した付着物を除去し、除去した粉塵を前方に押し出して排出させている。この加圧空気で圧送されているピグは管路の端部で除去した付着物を排出するとともに回収される。
【０００３】
このピグを回収するとき加圧空気により圧送されているピグは管路の端部から勢い良く飛び出し、作業者が怪我をするおそれがあるとともに押し出された粉塵が周囲に散乱してしまう。このような問題を解消するため、図２に示すように、管路５と略同じ径の円筒部６の一方の端部に管路５と接続する連結部７を有し、他方の端部にピグ受け部８を有し、円筒部６の外周面に複数の空気抜き孔９を設けたピグ回収具１６を管路５の端部に連結している。このピグ回収具１６を使用することにより、管路５内を圧送されているピグ１５がピグ回収具１６に達して粉塵が空気抜き孔９から吹き出しても、空気抜き孔９は管路５内の空気の吹き出し方向に対して直交しているから空気抜き孔９から吹き出す粉塵の勢いを弱める。また、圧送されたピグ１５はピグ受け部８に衝突してピグ回収具１６内に保持される。
【特許文献１】特開平１１−２３８９号公報
【発明の開示】
【発明が解決しようとする課題】
【０００４】
しかしながらピグ回収具１６から吹き出した粉塵は管路端部側のピットから周囲に飛散してしまい、市街地や住宅地で施工する場合は近傍住民に迷惑をかける。この粉塵が周囲に飛散することを防ぐためにピット上部をシートで覆ったりしているが、ピット上部を密封することはできず、周囲に粉塵が飛散することを抑えることは困難であった。また、ピグが管路内を圧送されているとき、ピグにより押し出される空気流によりシートがばたつき、近傍住民にガス漏れ等が生じたかのような誤解を与えてしまう。
【０００５】
また、圧送されているピグがピグ回収具１６に達してピグ受け部に衝突したときに大きな衝撃音が発生し、近傍住民に不安感を与えるという問題もあった。
【０００６】
この発明は、このような問題を解消し、ピグにより押し出された粉塵が周囲に飛散することを防止すると共にピグを回収する時の衝撃音をできるだけ低減したピグ回収装置を提供することを目的とするものである。
【課題を解決するための手段】
【０００７】
この発明のピグ回収装置は、ピグ回収部と消音部及び集塵部を有し、前記ピグ回収部は、管路を構成する管と略同じ径の円筒部と、該円筒部の一方の端部に設けられ、管路端部と接続する連結部と、前記円筒部の他方の端部に設けられ、圧送されたピグを受止めるピグ受け部を有し、前記円筒部の外周面には複数の空気抜き孔が設けられ、前記消音部は、前記円筒部の外周全体に空洞を形成する円筒カバーと、該円筒カバーの上面に形成された絞り管を有し、前記集塵部は、織布で形成された集塵袋と、機械的強度が大きい材料で形成され、前記集塵袋を収納した網目袋との２重構造で形成され、前記集塵袋と網目袋の開口部が前記絞り管の外周面に取り付けられていることを特徴とする。
【発明の効果】
【０００８】
この発明は、既設の管路内面をピグで清掃するため管路に圧送されたピグを回収するとき、圧送されているピグをピグ回収部のピグ受け部で受止めて回収する。
【０００９】
この圧送されているピグがピグ受け部に衝突するとき大きな衝撃音が発生するが、消音部の円筒カバーで円筒部の外周に所定の大きさで形成した空洞と円筒カバーの上面に形成した絞り管で発生した衝撃音を低減して近傍住民に不安感を与えることを防ぐ。さらに、低減した衝撃音を集塵部に設けた集塵袋と網目袋により吸音するから、衝撃音をより低減することができる。
【００１０】
また、圧送されているピグが管路の端部からピグ回収部に達して押し出されている粉塵は、円筒部の外周面に設けた複数の空気抜き孔から円筒カバーで形成された空洞に吹き出され、空洞に吹き出された粉塵は、同時にピグにより押し出された空気流により絞り管を通って集塵部に入り回収され、周囲に粉塵が飛び散ることを防ぐ。
【００１１】
この粉塵を集塵部で回収するとき、織布で形成された集塵袋は流入する空気流により膨張して粉塵を回収し、集塵袋に流入した空気の大部分は集塵袋と網目袋を通って外部に排出されるとき、流入する空気流により膨張した集塵袋を機械的強度が大きい材料で形成された網目袋で覆っているから、集塵袋が流入する空気流により吹き飛ばされることを防ぎ、粉塵を集塵袋に確実に回収することができる。
【発明を実施するための最良の形態】
【００１２】
図１は、この発明のピグ回収装置の構成を示す断面図である。図に示すように、ピグ回収装置１は、ピグ回収部２と消音部３及び集塵部４を有する。ピグ回収部２は、管路５を構成する管と略同じ径の円筒部６と、円筒部６の一方の端部に設けられ、管路５の端部５と接続する連結部７と、円筒部６の他方の端部に設けられ、圧送されたピグを受止めるピグ受け部８を有する。円筒部６の外周面には複数の空気抜き孔９が設けられている。消音部３は、ピグ回収部２の連結部７を除いた全面を覆い、円筒部６の外周に空洞１０を形成する円筒カバー１１と、円筒カバー１１の上面に形成された絞り管１２を有する。集塵部４は、平織や綾織の織布で形成された集塵袋１３と、ポリアミド樹脂等の機械的強度が大きい材料で形成され、集塵袋１３を収納した網目袋１４の２重構造で形成され、集塵袋１３と網目袋１４の開口部が絞り管１２の外周面に取り付けられている。
【００１３】
そして既設の管路５内面をピグで清掃するとき、ピグ回収側で管路５の端部にピグ回収装置１を連結し、ピグ挿入側でピグ１５を管路５内に挿入し、空気供給源から供給される加圧空気をピグ１５の背面に供給してピグ１５を圧送する。この圧送されるピグ１５により管路５内面に付着した錆等の付着物を除去し、除去した粉塵を前方に押し出す。
【００１４】
圧送されているピグ１５が管路５の端部からピグ回収装置１のピグ回収部２に達すると、押し出されている粉塵が円筒部６の外周面に設けた複数の空気抜き孔９から円筒カバー１１で形成された空洞１０に吹き出される。空洞１０に吹き出された粉塵は、同時にピグ１５により押し出された空気流により絞り管１２を通って集塵部４に入り回収される。この粉塵を集塵部４で回収するとき、織布で形成された集塵袋１３は流入する空気流により膨張して粉塵を回収する。この集塵袋１３に流入した空気の大部分は集塵袋１３と網目袋１４を通って外部に排出される。また、流入する空気流により膨張した集塵袋１３をポリアミド樹脂等の機械的強度が大きい材料で形成された網目袋１４で覆っているから、集塵袋１３が流入する空気流により吹き飛ばされることを防ぎ、粉塵を集塵袋１３に確実に回収することができる。また、管路５内に凝縮水があった場合でも、空洞１０で回収することができる。
【００１５】
また、圧送されているピグ１５は、ピグ回収装置１に達するとピグ回収部２のピグ受け部８に衝突してピグ回収部２内に回収される。この圧送されているピグ１５がピグ受け部８に衝突するとき大きな衝撃音が発生する。そこで、消音部３の円筒カバー１１で円筒部６の外周に所定の大きさで形成した空洞１０と円筒カバー１１の上面に形成した絞り管１２で発生した衝撃音を消音する。この消音部３は特定の共振周波数に対して消音効果を得られるように、ヘルムホルツ共鳴器を構成している。この消音部３の空洞１０の体積をＶ、絞り管１２の断面積をＳ、長さをＬ、音速をｃとすると、消音部３の共振周波数ｆは下記式で表せ、この共振周波数ｆにおいて消音効果をもたらす。
【００１６】
【数１】
2008104897.tif 000003
【００１７】
そこで消音部３の共振周波数ｆがピグ受け部８にピグ１５が衝突したときに生じる衝撃音の顕著な周波数成分に対応するように空洞１０の体積Ｖと絞り管１２の断面積Ｓと長さＬを定める。このようにしてピグ１５が衝突したときに生じる衝撃音を低減することができる。この低減した衝撃音を集塵袋１３と網目袋１４により吸音することにより、衝撃音をより低減することができる。
【図面の簡単な説明】
【００１８】
【図１】この発明のピグ回収装置の構成を示す断面図である。
【図２】従来のピグ回収具の構成を示す断面図である。
【符号の説明】
【００１９】
１；ピグ回収装置、２；ピグ回収部、３；消音部、４；集塵部、５；管路、
６；円筒部、７；連結部、８；ピグ受け部、９；空気抜き孔、１０；空洞、
１１；円筒カバー、１２；絞り管、１３；集塵袋、１４；網目袋、
１５；ピグ。
【図１】
2008104897.tif 000004
【図２】
2008104897.tif 000005